(57)【要約】  本発明の一態様では、飛行時間情報を利用してＰＥＴ画像化取得などの医療用画像化取得中の動きを検出する方法と装置を提供する。本発明の他の態様では、ＰＥＴ画像などの医療用画像中の呼吸運動や心臓の動きを検出して補正する方法と装置を提供する。
2013513792.tif 000002
【特許請求の範囲】
【請求項１】
医療画像化システムにおける画像化取得中に生じる動きを検出する方法であって：
画像化システムで画像化対象の画像化取得を行い、飛行時間データを含む画像取得データを生成するステップと；
前記飛行時間データを分析して、前記画像化取得中に生じる前記画像化対象の動きを検出するステップと
を有する方法。
【請求項２】
前記画像化取得中に前記飛行時間データをモニタするステップをさらに有する、請求項１に記載の方法。
【請求項３】
前記飛行時間データを予め選択した閾値と比較するステップと；
前記飛行時間データが前記予め選択した閾値を越えたとき、前記画像化システムのオペレータに警告を発するステップと
をさらに有する、請求項２に記載の方法。
【請求項４】
前記画像取得データはリストモードデータである、請求項１乃至３いずれか一項に記載の方法。
【請求項５】
前記飛行時間データを、前記画像化取得中に生じた前記画像化対象の動きを表す位置尺度に変換するステップをさらに有する、請求項１乃至４いずれか一項に記載の方法。
【請求項６】
前記位置尺度は前記画像化取得中に生じた呼吸運動を表す呼吸波位置尺度である、請求項５に記載の方法。
【請求項７】
前記呼吸波位置尺度を利用して、前記取得データの呼吸フレーミングをするゲーティング信号を生成するステップをさらに有する、請求項６に記載の方法。
【請求項８】
前記位置尺度は前記画像化取得中に生じた前記画像化対象の全体的動作を表す全体的動作位置尺度である、請求項５に記載の方法。
【請求項９】
前記全体的動作位置尺度を予め選択した閾値と比較するステップと；
前記全体的動作位置尺度が前記予め選択した閾値を越えたとき、前記画像化システムのオペレータに警告を発するステップと
をさらに有する、請求項８に記載の方法。
【請求項１０】
画像化対象の画像化取得中に生じる動きを検出するように構成された医療用画像化システムであって：
前記画像化対象が放射した放射を検出する少なくとも１つのディテクタと；
ロジックを含むコンピュータ読み取り可能媒体と
を有し、前記ロジックは：
前記画像化対象の画像化取得を行って、飛行時間データを含む画像取得データを生成し；
前記飛行時間データを分析して、前記画像化取得中に生じる前記画像化対象の動きを検出する、医療用画像化システム。
【請求項１１】
前記ロジックは、さらに前記画像化取得中に前記飛行時間データをモニタする、請求項１０に記載の医療用画像化システム。
【請求項１２】
前記医療用画像化システムはＰＥＴ画像化システムである、請求項１０又は１１に記載の医療用画像化システム。
【請求項１３】
前記画像取得データはリストモードの形式である、請求項１０乃至１２いずれか一項に記載の医療用画像化システム。
【請求項１４】
前記ロジックは、さらに前記飛行時間データを、前記画像化取得中に生じた前記画像化対象の動きを表す位置尺度に変換する、請求項１０乃至１３いずれか一項に記載の医療用画像化システム。
【請求項１５】
前記位置尺度は前記画像化取得中に生じた呼吸運動を表す呼吸波位置尺度である、請求項１４に記載の医療用画像化システム。
【請求項１６】
前記ロジックは、さらに前記呼吸波位置尺度を利用して、前記取得データの呼吸フレーミングをするゲーティング信号を生成する、請求項１５に記載の医療用画像化システム。
【請求項１７】
前記位置尺度は前記画像化取得中に生じた前記画像化対象の全体的動作を表す全体的動作位置尺度である、請求項１４に記載の医療用画像化システム。
【請求項１８】
前記ロジックは、さらに前記全体的動作位置尺度を予め選択した閾値と比較し、前記全体的動作位置尺度が前記予め選択した閾値を越えたとき、前記画像化システムのオペレータに警告を発する、請求項１７に記載の医療用画像化システム。
【請求項１９】
医療用画像化取得データ中の呼吸運動を推定する方法であって：
画像化対象の医療用画像化取得を行って、飛行時間画像化取得データを生成するステップと；
前記医療用画像化取得中に前記画像化対象の心電図を取得するステップと；
前記心電図を利用して、前記画像化取得データをゲーティングして、心臓ゲーティングされた取得データを生成するステップと；
前記心臓ゲーティングされた取得データを小期間に分割して、呼吸ゲーティングされた心臓画像を求めるステップと；
前記呼吸ゲーティングされた心臓画像中のアクティビティ中心を決定するステップと；
異なる呼吸ゲーティングされた心臓画像のアクティビティ中心を比較して、呼吸運動ベクトルを生成するステップと
を有する方法。
【請求項２０】
前記画像化取得データはリストモードデータである、請求項１９に記載の方法。
【請求項２１】
前記呼吸運動ベクトルを用いて、前記画像化取得データを補正して、呼吸運動の影響がない心臓画像を生成するステップをさらに有する、請求項１９または２０に記載の方法。
【請求項２２】
前記呼吸運動の影響がない心臓画像から心臓の動きを除去するステップをさらに有する、請求項２１に記載の方法。
【請求項２３】
医療用画像化取得データ中の呼吸運動を推定する方法であって：
画像化対象の医療用画像化取得を行って、飛行時間画像化取得データを生成するステップと；
前記医療用画像化取得中に前記画像化対象の心電図を取得するステップと；
前記心電図を利用して、前記画像化取得データを心臓サイクルに分割するステップと；
前記心臓サイクル中のアクティビティ中心を決定するステップと；
異なる心臓サイクル中の前記アクティビティ中心を比較して、呼吸運動ベクトルを生成するステップと
を有する方法。
【請求項２４】
前記画像化取得データはリストモードデータである、請求項２３に記載の方法。
【請求項２５】
前記呼吸運動ベクトルを用いて、前記画像化取得データを補正して、呼吸運動の影響がない心臓画像を生成するステップをさらに有する、請求項２３または２４に記載の方法。
【請求項２６】
前記呼吸運動の影響がない心臓画像から心臓の動きを除去するステップをさらに有する、請求項２５に記載の方法。
【請求項２７】
前記心電図を利用して、前記画像化取得データを心臓サイクルに分割するステップと；
前記心臓サイクル中のアクティビティ中心を決定するステップと；
異なる心臓サイクル中の前記アクティビティ中心を比較して、呼吸運動ベクトルの第２のセットを生成するステップと
をさらに有する、請求項２３に記載の方法。
【請求項２８】
前記呼吸運動ベクトルの第１のセットを前記呼吸運動ベクトルの第２のセットと結合して、結合した呼吸運動ベクトルのセットを生成するステップをさらに有する、請求項２７に記載の方法。
【請求項２９】
重み付け最小二乗法で、又は繰り返しプロセスで、前記呼吸運動ベクトルの第１のセットを前記呼吸運動ベクトルの第２のセットと結合する、請求項２８に記載の方法。
【請求項３０】
前記飛行時間画像化取得データを、前記画像化取得中に生じた呼吸運動を表す呼吸運動位置尺度に変換するステップと；
前記呼吸運動ベクトルの第１のセットと前記呼吸運動ベクトルの第２のセットのうち少なくとも一方を、前記呼吸波位置尺度と結合して、結合した呼吸運動ベクトルのセットを生成するステップと
をさらに有する、請求項２７に記載の方法。
【請求項３１】
前記方法を利用して心臓の駆出率を決定する、請求項２８乃至３０いずれか一項に記載の方法。
【請求項３２】
心臓全体について前記呼吸運動ベクトルを決定する、請求項２８乃至３０いずれか一項に記載の方法。
【請求項３３】
心臓の左心室について前記呼吸運動ベクトルを決定する、請求項２８乃至３０いずれか一項に記載の方法。
【請求項３４】
心臓の少なくとも２つのセグメントについて前記呼吸運動ベクトルを決定する、請求項２８乃至３０いずれか一項に記載の方法。
【請求項３５】
心臓の一セグメントの各画素について前記呼吸運動ベクトルを決定する、請求項２８乃至３０いずれか一項に記載の方法。
【発明の詳細な説明】
【技術分野】
【０００１】
本発明は概して画像化技術に関する。本発明は、より具体的には、飛行時間情報を用いて、陽電子放出断層撮影（ＰＥＴ）画像化取得などの医療画像化取得中に起こる動きを検出する方法と装置を提供する。本願は、ＰＥＴ画像における呼吸及び心臓による動きを補正する方法と装置も提供する。本願の主題は、少なくともＰＥＴ画像化で利用でき、それを具体的に参照して説明する。しかし、本願の主題は、ＳＰＥＣＴ画像化やＣＴ画像化など、より一般的に他の画像化方法及び他の技術に適用できる。
【背景技術】
【０００２】
医療画像化取得中に生じる動きは、画質の低下につながり、得られる画像データの臨床的有用性が犠牲となるので、問題となり得る。呼吸運動、心臓の動き、患者の全体的動作（gross  patient  motion）などいろいろな動きの結果、動きアーティファクトが生じ得る。呼吸運動は呼吸サイクル中の肺の膨張と収縮により生じる動きである。心臓の動きは心臓サイクル中の心臓の膨張と収縮により生じる動きである。患者の全体的動作は、胸、腕、脚などの人体部分の随意的又は不随意的な筋肉の運動により生じる動きである。この種の動きが問題となる可能性はＰＥＴ画像化取得において高くなる。ＰＥＴ画像化取得時間は一般的に長く、数分から数十分のオーダーだからである。
【発明の概要】
【発明が解決しようとする課題】
【０００３】
飛行時間情報を用いてＰＥＴ画像化取得中に動きを検出する方法と装置を提供することが望まれる。また、ＰＥＴ画像中の呼吸運動や心臓の動きをディフェクト（defect）し補正する方法と装置を提供することも望まれる。
【課題を解決するための手段】
【０００４】
本発明の態様により、これらの課題などを解決できる。本発明の一態様では、飛行時間情報を用いてＰＥＴ画像化取得中に動きを検出する方法と装置を提供する。
【０００５】
本発明の一態様では、ＰＥＴ画像中の呼吸運動と心臓の動きを検出し、補正する方法と装置を提供する。
【０００６】
本発明のさらに別の態様は、以下の詳細な説明を読んで理解すれば当業者には明らかになるであろう。好ましい実施形態の下記の詳細な説明を読めば、本技術分野の当業者には、別の多数の利点と利益が明らかになるであろう。
【０００７】
本発明は、いろいろなコンポーネントとコンポーネントの配置との形をなし、また、いろいろなプロセス動作や方法ステップとプロセス動作や方法ステップの構成との形をとる。図面は好ましい実施形態を例示することのみを目的とし、本発明を限定するものと解してはならない。
【図面の簡単な説明】
【０００８】
【図１】ＰＥＴ画像化システムの一例を示す図である。
【図２】飛行時間情報を用いて動きを検出する方法の一例を示す図である。
【図３】動き特性評価及び補正方法の一例を示す図である。
【図４】心電図（ＥＣＧ）信号記録の一例を示す図である。
【図５】呼吸波形の一例を示す図である。
【図６】動き特性評価及び補正方法の他の一例を示す図である。
【図７】図３と図６の方法の結果を組み合わせる方法の一例を示す図である。
【図８】図３と図６の方法の結果を組み合わせる反復プロセスの一例を示す図である。
【図９】時間に対する血流量を表す曲線の一例を示す図である。
【発明を実施するための形態】
【０００９】
Ｉ．飛行時間ＰＥＴ技術
飛行時間ＰＥＴ画像化システム１００の一例を図１に示す。飛行時間ＰＥＴ画像化システム１００はＰＥＴ画像化スキャナ１０２を含む。患者又は画像化対象１０４は、ＰＥＴ画像化スキャナ１０２のガントリ１０６内に入れられる。図示したＰＥＴ画像化システム１００の実施形態のガントリ１０６は、患者１０４の周りのリング１０８に配置され、陽電子・電子対消滅１１０により放射される同時光子対を検出する複数の光子検出器を含む。図１にはかかる２つの検出器ＡとＢを示した。実際のＰＥＴ画像化スキャナ１０２では、検出器リング１０８は一般的には複数の検出器を有し、一般的には並べて設定された多数の検出器がある。簡単のため、図１は２次元システムを示す。しかし、図示したコンセプトは３次元システムにも同様に当てはまる。ＰＥＴ画像化システム１００の別の実施形態では、ガントリが含む検出器は、２つの対向面検出器のように、リング状に構成されていなくてもよい。
【００１０】
対象１０４のＰＥＴ画像を得るため、最初に対象１０４に放射性医薬品を注射する。放射性医薬品は、患者体内のグルコース代謝などの関心のある分子やプロセスとインターラクトする標的アスペクト（targeting  aspect）を含む。また、放射性医薬品は陽電子放射核種を含む。放射された陽電子は近くの原子の電子と衝突し、陽電子と電子が対消滅する。対消滅の結果として、反応線１１２に沿った実質的に反対の方向に２つの光子が放射される。２つの光子は、両方とも同じ速さで、すなわち通過する媒体でインデックスされた光速で進む。検出器のリング１０８はこれらの光子を、それに関連する各光子が検出された時間などのＰＥＴ画像化データとともに記録する。
【００１１】
ＰＥＴ画像化スキャナ１０２は、検出器ＡとＢなどの検出器のリング１０８により記録されたＰＥＴ画像化データを、通信リンク１２２を介して、ＰＥＴ画像化・処理・表示システム１２０に送る。ここでは例示を目的としてＰＥＴ画像化スキャナ１０２とＰＥＴ画像化・処理・表示システム１２０とを別のシステムとして図示し説明するが、他の実施形態では、１つのシステムの部分であってもよい。ＰＥＴ画像化データは画像プロセッサ１２４に行き、メモリ１２６に記憶される。画像プロセッサ１２４は、ＰＥＴ画像化データを電子的に処理して、画像化される患者その他の対象１０４の画像を生成する。画像プロセッサ１２４は、付随するディスプレイ１２８に、得られた画像を表示できる。キーボード及び／又はマウスなどのユーザ入力部１３０が設けられ、ユーザはプロセッサ１２４を制御できる。
【００１２】
検出器Ａなどの検出器は、付随する電子回路を含み、光子を検出した時間を非常に正確に特定できる。図１の検出器ＡとＢなどの２つの検出器がそれぞれある同じ期間内に光子を記録すると、光子対が陽電子・電子対消滅１１０などの対消滅の結果発生したと考えられる。具体的に、図１に示した、反応線と呼ばれる検出器ＡとＢを結ぶ直線に沿ったどこかで、対消滅１１０が起こったと考えられる。このような検出イベントのペアすなわち「同時発生」がＰＥＴ画像化スキャナ１０２により記録される。飛行時間ＰＥＴ画像化システム１００は、画像プロセッサ１２４により実行される画像再構成アルゴリズムを用いて、かかる同時発生イベントを用いて、患者内の放射性医薬品の分布を決定できる。この分布を用いてＰＥＴ画像を生成する。
【００１３】
飛行時間ＰＥＴ画像化では、同時発生イベントは検出器ＡとＢなどの２つの検出器で取得されるが、２つの同時発生光子の到着時間は異なる。２つの同時発生光子は両方とも実質的に同じ速さで進むため、到着時間の差は、対消滅点１１０から同時検出する検出器ＡとＢまでの飛行時間に直接相関する。そのため、システム１２０は、対消滅１１０が発生した反応線１１２に沿った位置を概略計算でき、ＰＥＴ画像再構成の解像度を高めることができる。このように、飛行時間モジュール１３２は、この目的等のために利用される。図１に示したように、飛行時間モジュール１３２は、ＰＥＴ画像化・処理・表示システム１２０内にある。別の実施形態では、飛行時間モジュール１３２は、ＰＥＴ画像化スキャナ１０２内にあってもよいし、ＰＥＴ画像化システム１００とは離れたところにあってもよい。飛行時間モジュール１３２はハードウェア又はソフトウェアで実施できる。
【００１４】
ＩＩ．飛行時間情報を利用した画像化取得における動きの検出
本発明の一態様は、概して、飛行時間情報を用いて、画像化取得における患者の全体的動作及び／又は呼吸運動などの動きを検出する方法と装置に関する。このように、本発明のこの態様は、ＰＥＴ画像化取得で特に有用であるが、より広い態様では、他種の画像化取得に関して用いることもできる。外部デバイスの使用を必要とせずに、また再構成された画像データを分析せずに、ここに説明する方法と装置の例を用いて、画像取得中の動きを検出できるが、この方法と装置の例は、外部デバイスを使用し、又は再構成された画像データを分析する方法とも用いることができる。
【００１５】
過去、患者の全体的動作（gross  patient  motion）は、一般的に、画像化取得を複数回繰り返すことにより、又は一組の画像化取得データを再処理することにより、解決していた。前者の方法では、患者と医療スタッフの両方の放射線被曝量が大きくなることが多く、後者の方法では、必要となる画像処理時間が長くなる。したがって、医療画像化取得中に患者の全体的動作をほぼリアルタイムで検出し、画像化手順を繰り返して臨床時の画質を改善する必要が少ない装置と方法を提供するのが望ましい。画像化取得が完了するまで待って全体的動作を検出するのに対して、画像化手順中に患者の全体的動作を検出すれば、その時にそれに対処できる。
【００１６】
呼吸運動に関して、その大きさは患者の全体的動作と比較して一般的には小さいが、多くの呼吸サイクルにわたってデータを時間平均すると、かかる動作により最も影響を受けるエリアでは画像が空間的に劣化することがある。過去、下記のトランスデューサのような動きトランスデューサを利用して、データ取得中の胸部や腹部の物理的な動きを測定してきた。かかる動きトランスデューサにより得られる情報を呼吸ゲーティング（respiratory  gating）で用いて、患者の呼吸運動を補正しようとして、ビデオカメラの利用などその他の方法を用いて、呼吸運動をモニタし、呼吸ゲーティング用の情報を取得している。しかし、かかる方法には高価な機器を利用しなければならず、かかる機器を用いて作成された画像化データの臨床的有用性は最適なものとは言えない。
【００１７】
したがって、外部トランスデューサ、ビデオカメラ、その他の機器を必要とせずに、呼吸運動を検出して特性を明らかにする装置と方法を提供することが望まれる。かかる機器を使わないので、システムの全体的コスト、手順や臨床的コスト、及び時間ベース又は振幅ベースの呼吸ゲーティングの複雑性及びエラーの起こりやすさを低減できる。
【００１８】
本発明の一態様による動き検出方法２００の一例を図２に示した。方法２００の例は、飛行時間情報を利用して画像化手順中の患者の全体的動作及び／又は呼吸運動を検出する。
【００１９】
ステップ２０２で、システム１００などのＰＥＴ画像化システムを利用して、光子同時発生イベントを検出し、かかる同時発生に関する飛行時間などの関連画像化データを収集する。かかる画像化データはリストモード２０４でメモリ１２８に記憶される。いろいろな実施形態では、リストモード２０４は全画像化手順からのすべての画像化データを含む。別の実施形態では、リストモード２０４は、画像手順の時間セグメントに対応する全画像化データの一部のみを含む。画像化データの記憶は進行中の過程であり、別のデータを収集しつつ、画像化手順の一部から得られた画像化データを分析及び／又は操作してもよい。データ２０４の飛行時間情報に基づき、ガントリ１０６中の対消滅１１０の概略的位置を決定し、データ２０４に追加できる。これは、各光子同時発生イベントを反応線１１２に沿った、例えば５ｍｍ間隔を表すビン（ｂｉｎ）にローカライズする擬似連続空間で行ってもよい。
【００２０】
ステップ２０６では、リストモードデータ２０４から飛行時間差を集め又は総計して、総計飛行時間差データ２０８を生成する。リストモード２０４に関して上記したように、飛行時間データ２０８は全画像化手順に対して生成しても、移行プロセス中の画像化手順の部分に対して別々に生成してもよい。総計飛行時間データ２０８は、単に、十分大きくて信頼性のあるデータサンプルを提供できるリストモードデータ２０４全体から選択する。図１を再び参照して、総計飛行時間データ２０８は、例えば、飛行時間モジュール１３２により生成される。例えば、総計飛行時間データ２０８はヒストグラムに蓄積される。総計２０８は、好ましくは、１乃至２秒の画像化時間であり、数百万の光子同時発生イベントのオーダーであるが、意味のあるデータサンプルが取れる時間であればその長さは問わない。
【００２１】
任意的に、リストモードデータ２０４の収集２０６と総計２０８は、動きが予測されるデータ２０４の一部に限定してもよい。例えば、画像化対象１０４が、典型的に、ガントリ１０６中に、台の上に仰向け又はうつぶせで横たわっている場合、対象１０４の呼吸運動は主にガントリ１０６内の対象の胸の垂直な動きとなる。このように、リストもモードデータ２０４の収集２０６と総計２０８は、ガントリ１０６内の反応線１１２に限定してもよいし、それに向けて重み付けしてもよい。
【００２２】
他の典型的な一例は、画像化スキャン中に患者の腕や脚の全体的動作が予想される場合である。その場合、リストもモードデータ２０４の収集２０６と総計２０８は、ガントリ１０６内の極端に水平な位置で起こる対消滅イベントに限定してもよいし、重み付けしてもよい。
【００２３】
方法２００の例の様々な実施形態では、リストモードデータ２０４の収集２０６と総計２０８は、図１のディテクタＡとＢなどの一組のディテクタに限定してもよいし、このような組になったディテクタのうちの限定的なものに限定してもよい。さらに別の実施形態では、収集２０６又は総計２０８されるデータ２０４は、特定の反応線１１２に限定しても、リング１０８に対する角度又は軸角度の、ある角度レンジにある反応線１１２に限定してもよい。さらに別の実施形態では、集められるデータ２０４はすべて収集２０６され、総計２０８される。
【００２４】
ステップ２１０で、飛行時間データの総計２０８を分析し、位置の尺度２１２に変換する。位置尺度２１２は、時間的な飛行時間データの動きを反映し、そのため、時間的な画像化対象１０４の動きを反映する。この位置尺度２１２は、リアルタイム又はほぼリアルタムで、ＰＥＴ画像化システムのオペレータに表示される。
【００２５】
方法２００の一例として、飛行時間データ２０８の総計を、呼吸波位置尺度２１４に変換する。呼吸波位置尺度２１４は、例えば、呼吸運動の検出に役立つ従来の呼吸波に平均化又は変換される。総計飛行時間データ２０８を呼吸波位置尺度２１４に変換するため、総計飛行時間データ２０８の分析に基づいて、呼吸運動に対応する最大位置と最小位置を最初に特定する。例えば、画像化対象１０４の長さ方向のすなわち「ｚ」軸に沿って選択された画像化スライスにおける対象の前後方向の動きを、例えば５秒や１０秒などある時間にわたってモニタして、呼吸運動の振幅に関する信号を生成する。その振幅データを用いて、総計飛行時間データ２０８の従来の呼吸波との相関を取り、呼吸波位置尺度２１４を生成する。いろいろな実施形態では、従来の呼吸波は測定信号又は予め生成した典型的な呼吸信号であり得る。任意的に、最適化を目的として、呼吸波位置尺度２１４にデータ処理や平滑化を適用してもよい。
【００２６】
呼吸波位置尺度２１４の変わりに、又はそれに加えて、総計飛行時間データ２０８はいろいろな実施形態において全体的動作位置尺度２１６に変換される。総計飛行時間データ２０８を全体的動作位置尺度２１６に変換するため、総計飛行時間データ２０８を利用してアクティビティ中心に関する情報を取得する。対消滅アクティビティ中心は、例えば、画像化対象１０４全体に対して、又は画像化対象１０４の一部のみに対して決定できる。さらに他の例として、全体的動作位置尺度２１６は、画像化データ２０４の軸方向スライスにおける光子対消滅の２次元中心を反映する。様々な組み合わせが可能である。
【００２７】
ステップ２１８で、位置尺度２１２の不変性を時間的にモニタし、記録し、分析する。次に一尺度を用いて最終位置尺度２２０を生成する。位置尺度２１２は、呼吸波位置尺度２１４であるとき、画像再構成に用いる最終呼吸波形２２０の生成に用いることができる。例えば、最終呼吸波形２２０は、呼吸ゲーティング（respiratory  gating）に用いられ、又はリストモードデータ２０４の時間シーケンスの分類に用いられる。このように、呼吸ゲーティングは、ベローズトランスデューサやビデオカメラなどの外部デバイスを必要とせずに、方法２００を用いて実現できる。方法２００のいろいろな実施形態では、最終呼吸波形２２０を用いてゲーティング信号を生成する。ゲーティング信号はリストモードデータ２０４に挿入され、リストモードデータの時間ベースの呼吸フレーミングをマークする。別の実施形態では、最終呼吸波形２２０を利用して、フレキシブルな振幅ベースゲーティングに用いる呼吸振幅を生成する。例えば、放射線治療計画において、かかる呼吸ゲーティングを用いてもよい。さらに別の実施形態では、画像化取得においてほぼリアルタイムで最終呼吸波形２２０を分析して、対象の呼吸動作が予め設定した閾値を越えているか判断し、閾値を越えているとき、画像化オペレータに警告信号を送る。
【００２８】
位置尺度は、全体的動作位置尺度であるとき、画像再構成に用いる最終全体的動作位置尺度の生成に用いることができる。位置尺度２１２は、全体的動作位置尺度２１６であるとき、ステップ２１８でモニタでき、予め選択した動き閾値と比較され、その閾値を越えると、患者の全体的動作が起こったことを、ＰＥＴ画像化システム１００のオペレータに警告する。方法２００のいろいろな実施形態では、ＰＥＴ画像化システム１００のオペレータに提供される警告には、全体的動作が生じたと疑われる画像化対象１０４の領域に関する情報が伴う。さらに別の実施形態では、全体的動作の方向及び／又は大きさに関する情報をオペレータに提供する。疑われる全体的動作に関する情報を用いて、再構成画像の解釈をガイドすることができ、画像化取得をサイド開始する基礎とすることもできる。方法２００のいろいろな実施形態では、全体的動作タイムフラグをリストモードデータ２０４に入れて、画像データを全体的動作の前の画像と全体的動作の後の画像とに分け、又はその他の診察目的に用いる。
【００２９】
ＩＩＩ．ＰＥＴ画像における呼吸動作と心臓の動きの補正
前述の通り、医療画像化取得中に生じる動きは、画質の低下につながり、得られる画像データの臨床的有用性が犠牲となるので、問題となり得る。医療画像化手順における動きの元は、呼吸運動と心臓の動きである。呼吸運動と心臓の動きは両方とも得られる画像の画質を劣化させ、動きアーティファクトを生じる。
【００３０】
過去、データを一連の心臓によりゲーティングされた窓に分割又はゲーティングすることにより、ＰＥＴ画像における呼吸運動と心臓の動きを両方とも補正する試みがなされてきた。心臓ゲーティングは、ゲーティングされる窓と心臓サイクルとの相関を取る心電計（ＥＣＧ）デバイスを補助的に用いて行われてきた。前述の通り、呼吸ゲーティングは、ゲーティングされた窓と呼吸サイクルとの相関を取るベローズトランスデューサ、ビデオカメラ、その他の機器などの外部デバイスにより集められた呼吸情報を用いて最もよく行われている。ゲーティングされた窓のデータを再構成して、再構成された画像の空間的レジストレーションをする数学的アルゴリズムを用いて、画像を形成する。
【００３１】
医療画像から呼吸運動と心臓の動きの両方の特性を明らかにし、除去する装置と方法を提供することが望ましい。本発明の一態様は、概して、ＰＥＴ画像における呼吸運動と心臓の動きを補正する方法と装置に関する。ここに説明する方法と装置は、呼吸運動に関する情報を集める外部デバイスを必要とせずに、呼吸運動と心臓の動きの両方の特性を明らかにし、補正するのに有用である。しかし、ある実施形態では、この方法をかかるデバイスと共に用いてもよい。
【００３２】
本発明の一態様による動き特性化及び補正方法３００の一例を図３に示した。方法３００は、心臓ＰＥＴ画像中の呼吸運動と心臓の動きを両方とも補正する。方法３００は心臓ＰＥＴ画像に関するものであるが、この方法の別の実施形態は、ＣＴやＳＰＥＣＴなどの、又はＰＥＴ／ＣＴやＳＰＥＣＴ／ＣＴ画像化などの組み合わせ画像化モダリティなどの他のタイプのＰＥＴ画像化や他の画像化モダリティに適用できる。
【００３３】
ステップ３０２で、システム１００などのＰＥＴ画像化システムを利用して、心臓ＰＥＴ画像取得を行い、画像化対象１０４の心臓のエリアで生じる対消滅イベント１１０により生じる光子同時発生を検出する。心臓ＰＥＴ画像取得からの情報は、リストモードデータ３０４に集められ、メモリ１２８に記憶される。
【００３４】
ステップ３０６で、画像化対象１０４の心筋収縮のデジタル信号を、心電計（ＥＣＧ）３０８の形式で、心臓ＰＥＴ画像取得３０２と同時に取得する。心電計（ＥＣＧ）記録の一例を図４に示した。ＥＣＧの水平軸は時間の経過を示し、プロットした曲線は、その軸に沿った各時点における電気的アクティビティを、それゆえ患者の心臓のフェーズを反映している。このように、例えば、ＥＣＧは、心臓が繰り返し拡張・収縮をするときの心臓サイクルの開始と終了とを示す。
【００３５】
ステップ３１０で、心電計（ＥＣＧ）３０８のタイムスタンプを、取得したリストモードデータ３０４と同期させ、心臓ゲーティングされたリストモードデータ３１２を生成する。より具体的に、取得されたリストモードデータ３０４は、複数の心拍すなわち心臓サイクルに渡り取られる。リストモードデータ３０４は、各光子同時発生を検出した時間を含む。次に、心電計（ＥＣＧ）３０８は、その時点における患者の心臓サイクル中の心臓のフェーズを提供する。心臓サイクルは、一例として、８乃至１６窓などの、一連の心臓のゲーティングされた窓に分割できる。次に、心電計（ＥＣＧ）３０８データに基づき、心臓サイクルの心臓ゲーティングされた窓で、リストモードデータ３０４中の検出された各光子同時発生を識別する。このように、あるゲーティングされた窓の、心臓ゲーティングされたリストもモードデータ３１２は、その窓のフェーズのみに対応し、しかし画像化取得時間全体にわたり心臓サイクルの異なる繰り返し中に取られたデータを有する。
【００３６】
ステップ３１４で、心臓ゲーティングされた窓の各々の中のリストモードデータ３１２は、別々に再構成され、心臓の画像を形成する。これにより、一連の心臓ゲーティングされた心臓画像３１６ができ、各画像は心臓サイクル全体のゲーティングされた窓の一つに対応する。心臓サイクルを１６個のゲーティングされた窓に分割した場合、１６個のゲーティングされた心臓画像３１６が得られる。
【００３７】
ここで、呼吸サイクルを考える。一般的にＰＥＴ取得は数分から数十分のオーダーの時間がかかるので、複数の呼吸サイクルにわたるデータを含んでいる。例えば、ある心臓ＰＥＴ取得に５分間かかり、呼吸サイクルの平均的長さが（例えば）４秒であるとすると、画像化対象はＰＥＴ取得中の呼吸サイクルは約７５回である。呼吸波すなわち呼吸サイクルの例を図５に示す。心臓ゲーティングされた各心臓画像３１６は、これらの呼吸サイクルにより生じる心臓の動きによりぼやけてしまう。言い換えると、リストモードデータ３０４の光子同時発生は、対象の肺の収縮拡張により生じる心臓の動きにより、空間的に広がる。その呼吸運動により、画像化される対象の心臓は、ＰＥＴ画像取得中に、上下、左右、前後に動き、ねじれ運動により回転することもある。したがって、呼吸運動により心臓ゲーティングされた心臓画像３１６に生じるぼけ（blurring）と動きアーティファクトは、都合よく除去できる。
【００３８】
心臓サイクルの心臓ゲーティングされた窓の数は、ゲーティングされた窓内で、心臓の動きがほとんど又はまったくないと期待できるように、選択する。結果として、ゲーティングされた各窓中の対消滅データは、心臓の動きではなく、呼吸運動によりほぼ生じている。このように、呼吸による心臓の運動を、心臓の動き（心拍動）と切り離し、心臓ゲーティングされた窓内の心臓の動きにより近似できる。
【００３９】
このように、ステップ３１８で呼吸運動を抽出するために、心臓ゲーティングされた画像３１６を画定する心臓ゲーティングされた窓を、さらに小期間に分割する。心臓サイクルのゲーティングされた窓に対応する、心臓ゲーティングされた心臓画像３１６の各々に対して、心電計（ＥＣＧ）３０８をガイドとして用いて、リストモードデータ３０４を心臓ゲーティングされた窓内の適当な小期間に割り当てる。各小期間に割り当てられたリストモードデータ３０４は、呼吸ゲーティングされた心臓画像３２０を表す。この目的に用いる小期間の数はいくつでもよい。
【００４０】
一例として、心臓ＰＥＴ取得の全体が５分間の取得時間中に１５０百万回の光子同時発生を検出し、ゲーティングされたリストモードデータ３１６を２０個のゲーティングされた窓に分割すると仮定する。心臓ゲーティングされた各画像３１６では、約７．５百万回の光子同時発生が検出される（１５０百万回／２０＝７．５百万回）。さらに、用いる小期間の長さは０．１秒であるとする。この時、リストモードデータセット３０４全体には全部で３０００個の呼吸ゲーティングされた心臓画像３２０がある。または、心臓サイクルの心臓ゲーティングされた窓２０個の各々には１５０個の呼吸ゲーティングされた心臓画像３２０がある。３０００個の呼吸ゲーティングされた心臓画像３２０の各々は、２５００個の光子同時発生が検出される（７．５百万回／３０００＝２５００）。
【００４１】
ステップ３２２で、呼吸ゲーティングされた心臓画像３２０のそれぞれに対して、アクティビティ中心を計算する。上記の通り、そのアクティビティ中心の動きは、心臓の動きとは切り離された呼吸運動を表す。それゆえ、同じ心臓ゲーティングされた窓内の呼吸ゲーティングされた心臓画像のアクティビティ中心の差は、心臓の動きではなく、呼吸運動を示す。このように、かかる差を用いて、呼吸運動ベクトル３２４を生成し、このベクトルを用いて、画像再構成において、呼吸運動に対してリストモードデータ２０４を補正してもよい。
【００４２】
図６を参照して、動き特性の明確化と補正をする他の方法６００を示す。ステップ３０２で、システム１００などのＰＥＴ画像化システムを利用して、心臓ＰＥＴ画像取得を行い、画像化対象１０４の心臓のエリアで生じる対消滅イベント１１０により生じる光子同時発生を検出する。心臓ＰＥＴ画像取得３０２からの情報は、リストモードデータ３０４に集められ、メモリ１２８に記憶される。
【００４３】
ステップ３０６で、画像化対象１０４の心筋収縮のデジタル信号を、心電計（ＥＣＧ）３０８の形式で、心臓ＰＥＴ画像取得３０２と同時に取得する。心電計（ＥＣＧ）記録の一例を図４に示した。ＥＣＧの水平軸は時間の経過を示し、プロットした曲線は、その軸に沿った各時点における電気的アクティビティを、それゆえ患者の心臓のフェーズを反映している。このように、例えば、ＥＣＧは、心臓が繰り返し拡張・収縮をするときの心臓サイクルの開始と終了とを示す。
【００４４】
ステップ６１０で、心電計（ＥＣＧ）３０８のタイムスタンプを、取得したリストモードデータ３０４と同期させ、心臓サイクルデータ６１２を生成する。より具体的に、取得されたリストモードデータ３０４は、複数の心拍すなわち心臓サイクルに渡り取られる。リストモードデータ３０４は、各光子同時発生を検出した時間を含む。次に、心電計（ＥＣＧ）３０８は、どの心拍が、すなわち第１のサイクル、第２のサイクル等が、その時点に対応するか示す。一例として、５分間の画像化取得時間には、心臓サイクルが３００回繰り返される。次に、心電計（ＥＣＧ）３０８データに基づき、画像取得期間中の心臓サイクルの繰り返しで、リストモードデータ３０４中の検出された各光子同時発生を識別する。このように、心臓サイクルの繰り返しの心臓サイクルデータ６１２は、心臓サイクルのその繰り返しのみに対応するデータを含む。
【００４５】
ステップ６１４で、各心臓サイクルの心臓サイクルデータ６１２は別々に再構成され、心臓の画像を形成する。これにより一連の心臓サイクル画像が生成され、各画像は１つの心臓サイクルの全体に対応する。
【００４６】
ステップ６１８で、心臓サイクル画像６１６のそれぞれに対して、対消滅アクティビティ中心を計算する。心臓の動きは、各画像６１６が心臓サイクル全体に対応するので、対消滅中心の位置には無視できるほどの影響しか与えない。このように、これらの画像中の画像ごとの光子対消滅アクティビティ中心の動きは、心臓の動きではなく呼吸運動から生じる。このように、心臓の呼吸による動きは、心臓の動き（心拍動）から切り離しできる。心臓サイクル画像６１６間の対消滅アクティビティ中心における差を用いて、画像再構成において呼吸運動を補正するときに用いる呼吸運動ベクトル６２０を生成してもよい。
【００４７】
各心臓サイクル画像６１６は、画像６１６により表される心臓サイクルのアクティビティ中心を計算するのに十分な数の光子同時発生カウントを含む。例として、５分間のＰＥＴ画像取得には、心臓サイクルが１秒であると仮定して、約３００心臓サイクルが含まれる。例えば、５分間の心臓ＰＥＴ画像取得に１５０百万回の光子同時発生カウントが含まれるとすると、その取得では、心臓サイクル画像６１６ごとに５０００００光子同時発生カウントがある。
【００４８】
動き補正方法３００と６００は両方とも、同じＰＥＴ画像取得中に生じる同じ呼吸運動を推定するが、異なる方法で行う。したがって、第１の方法３００により求めた呼吸運動ベクトル３２４と、第２の方法６００により求めた呼吸運動ベクトル６２０とは、両方とも同じ呼吸運動の推定を表す。
【００４９】
本発明の実施形態では、動き補正方法３００又は６００は、呼吸運動を補正するために個別に用いることができる。別の実施形態では、呼吸運動ベクトル３２４と呼吸運動ベクトル６２０は両方とも、平均などにより結合して、結合呼吸運動ベクトルを生成することができる。ここで図７を参照して、方法３００と方法６００による呼吸運動推定を結合する方法８００を示す。
【００５０】
ステップ７０２で、呼吸運動ベクトル３２４を呼吸運動ベクトル６２０と結合して、結合呼吸運動ベクトル７０４を生成する。呼吸運動ベクトル３２４を呼吸運動ベクトル６２０と適切に組み合わせて、最も確からしい呼吸推定を生成することが望ましい。方法７００のいろいろな実施形態では、いろいろな異なる方法で、呼吸運動ベクトル３２４は、呼吸運動ベクトル６２０と組み合わせられる。例えば、重み付け最小二乗法を利用できる。重み付け最小二乗法ではいろいろなファクタを利用できる。例えば、重み付け最小二乗法は、緩和ファクタ、光子同時発生カウントの総数、呼吸の振幅、呼吸運動の規則性、ノイズ、信号対ノイズ比、心電計からのサイクルの規則性、その他の適切な変数に基づくものであってもよい。ステップ７０６で、結合した呼吸運動ベクトル７０４を用いて、ＰＥＴ心臓取得データを再構成し、呼吸運動の影響を受けない心臓画像７０８を生成する。
【００５１】
別のいろいろな実施形態で、繰り返しプロセスを用いて、呼吸運動ベクトル３２４、６２０を結合する。図８を参照して、呼吸運動ベクトル３２４、６２０を結合する繰り返し方法８００を示した。この方法では、ステップ８０２において、方法３００又は６００で求めた呼吸運動ベクトル３２４、６２０のセットの１つをそれ自体で利用して、呼吸運動を補正する。ステップ８０４で、このように呼吸運動を処理すると、ＰＥＴ取得データを再構成して、第１の動き補正された再構成ＰＥＴ画像８０６を求める。ステップ８０８で、新しい再構成８０６を用いて、ステップ８０２で用いられなかった動き推定方法３００又は６００を用いて、呼吸運動を推定する。ステップ８１０で、動き補正したＰＥＴ取得データを再構成して、第２の動き補正した再構成ＰＥＴ画像８１２を求める。呼吸運動の補正に必要な方法８００の各繰り返しに対して、動き補正方法３００又は６００を用いて、繰り返し方法８００のステップを繰り返す。
【００５２】
心臓ＰＥＴ画像から呼吸運動を除去すると、心臓ＰＥＴに残る動きの主要部分は、心臓の動きによるものである。ＰＥＴ取得データから呼吸運動を除去してから、心臓の動きを推定し除去できる。いろいろな実施形態では、この方法を左心室全体に適用する。別のいろいろな実施形態では、この方法を心臓の１７のセグメントのそれぞれに独立に適用する。  別のいろいろな実施形態では、この方法を心臓の左心室の各画素に適用する。別の実施形態では、別のいろいろな心臓の空間的分解も利用できる。
【００５３】
前述の通り、心臓ＰＥＴ画像から呼吸運動を除去すると、心臓ＰＥＴに残る動きの主要部分は、心臓の動きによるものである。心臓全体を処理するとき、残りの動きは心臓全体で同じである。心臓を１７セグメントとして分析する場合、残りの動きはセグメントごとに異なる。しかし、言うまでもなく、心臓の空間分解の粒度は、領域ごとのカウント密度に依存する。
【００５４】
いろいろな実施形態では、最初に呼吸運動を推定し、元のＰＥＴ心臓データから除去する。次に、心臓の動きを推定し、呼吸運動を補正したＰＥＴ心臓データから除去する。本発明の別のいろいろな実施形態では、ＰＥＴデータからの呼吸運動と心臓の動きの推定と除去は、呼吸運動の推定と除去、及び心臓の動きの推定と除去を繰り返すことにより、繰り返しプロセスにより実行される。このように、呼吸運動推定と心臓の動き推定の交差汚染（cross-contamination）を最小化する。
【００５５】
本発明のいろいろな実施形態で、呼吸運動及び心臓の動きの補正を画像空間で行っている。しかし、本発明の別の実施形態では、呼吸運動及び／又は心臓の動きの補正を反応線１１２のレベルで行ってもよい。かかる実施形態では、呼吸運動及び／又は心臓の動きの推定を用いて、元のリストモードデータを修正し、再構成を行う。
【００５６】
本発明のいろいろな実施形態で、呼吸運動及び心臓の動きの推定は、心臓領域全体で行っている。別の実施形態では、呼吸運動と心臓の動きの推定は、左心室のみにフォーカスして行う。さらに別の実施形態では、心臓の１７個のセグメントのそれぞれに対して、独立に推定を行う。さらに別の実施形態では、呼吸運動と心臓の動きの推定に用いる方法を、左心室の各画素に、又は心臓の他の領域の各画素に適用する。
【００５７】
しかし、言うまでもなく、画像化される心臓の領域から得られる光子同時発生の数には特有の制限がある。例えば、心臓のある領域が小さすぎるとき、データの計算に利用できる光子同時発生カウントの数によっては、呼吸運動や心臓の動きの正確な推定ができない。心臓の空間的分解の粒度は、領域ごとの光子同時発生カウントの密度に依存する。前述の通り、説明した方法は心臓のＰＥＴ画像化に関するものであるが、開示の方法は他のタイプのＰＥＴ画像化にも適用でき、ＣＴやＳＰＥＣＴなど他の画像化モダリティにも適用できる。開示の方法は、リストモードフォーマットでデータを提供する画像化モダリティに適用できる。
【００５８】
前に説明した動きの特性明確化（characterization）と補正の方法は、様々に利用でき利益がある。例えば、ここに説明した方法は、ゲーティングされたＰＥＴ画像の鮮明化と、ゲーティングされたＰＥＴ画像の再構成の改善とに役立つ。また、ここに説明した動き補正方法を用いて、動的ＰＥＴ再構成を改善してもよい。
【００５９】
ここに説明した動き補正方法の別の潜在的な利用方法は、心臓の駆出率の決定である。血流量を時間的に表す曲線９００を図９に示した。駆出率は広く使われている心臓の健康の尺度であり、次のように計算する。収縮直前の心室中の血液量は拡張末期容積として知られている。収縮の終わりの心室中の血液量は収縮末期容積として知られている。拡張末期容積と収縮末期容積の差は１回排出量、すなわち各心拍で心室から排出される血液量である。駆出率は各心拍で排出される拡張末期容積の割合、すなわち、次式のように、１回排出量（ＳＶ）を拡張末期容積（ＥＤＶ）で割ったものである：
１回排出量＝ＳＶ／ＥＤＶ＝（ＥＤＶ−ＥＳＶ）／ＥＤＶ。
ここに説明した動き補正を用いて、絶対血流測定を改良し、基礎となるＰＥＴ画像化データに基づく他の機能を実行することもできる。
【００６０】
上記の機能は、例えば、スキャンの開始及び／又は終了、所望のスキャン又は再構成プロトコルの選択、容積データの操作などを含むが、これをソフトウェアロジックとして実行できる。ここで「ロジック」とは、機能や動作を実行し、及び／又は他のコンポーネントに機能や動作を実行させるハードウェア、ファームウェア、ソフトウェア、及び／又はこれらの組み合わせを含むが、それらに限定されない。例えば、所望のアプリケーションやニーズに基づき、ロジックは、ソフトウェア制御のマイクロプロセッサ、特定用途集積回路（ＡＳＩＣ）などのディスクリートロジック、又はその他のプログラムされたロジックデバイスを含み得る。ロジックはソフトウェアとして実現されてもよい。
【００６１】
ここで、「ソフトウェア」は、コンピュータ又はその他の電子デバイスに機能や動作を実行させ、及び／又は所望の方法で振る舞わせるコンピュータ読み取り可能及び／又は実行可能命令を含むが、これに限定されない。かかる命令は、アプリケーションやダイナミックリンクドライブラリのコードを含むルーチン、アルゴリズム、モジュール、又はプログラムなどのいろいろな形式で実現できる。ソフトウェアは、スタンドアロンプログラム、ファンクションコール、サーブレット、アプレット、メモリに記憶された命令、オペレーティングシステムの一部、他のタイプの実行可能命令などのいろいろな形式で実施することもできる。当業者には言うまでもなく、ソフトウェアの形式は、例えば、所望のアプリケーションによる必要性、実行される環境、及び／又はデザイナやプログラマの希望などに依存する。
【００６２】
ここに説明したシステムと方法は、例えばネットワーク接続された制御システムやスタンドアロンの制御システムなどを含むいろいろなプラットフォームで実現できる。また、ここに図示、説明したロジック、データベース、又はテーブルは、好ましくはコンピュータ読み取り可能媒体中に、又はその上にある。コンピュータ読み取り可能媒体の例には、フラッシュメモリ、リードオンリメモリ（ＲＯＭ）、ランダムアクセスメモリ（ＲＡＭ）、プログラマブルリードオンリメモリ（ＰＲＯＭ）、電気的プログラマブルリードオンリメモリ（ＥＰＲＯＭ）、電気的消去可能プログラマブルリードオンリメモリ（ＥＥＰＲＯＭ）、磁気ディスク又はテープ、ＣＤ−ＲＯＭやＤＶＤ−ＲＯＭを含む光学的読み取り可能媒体、その他が含まれる。さらに、ここに説明したプロセスとロジックは、１つの大きなプロセスフローに一体化しても、多くのサブプロセスフローに分割してもよい。ここでプロセスフローを説明した順序は重要ではなく、再構成しても同じ結果を得ることができる。実際、ここに説明したプロセスフローは、当然の結果として、又は希望に応じて、実施時に再構成、連結、及び／又は再組織化できる。
【００６３】
本発明を好ましい実施形態を参照して説明した。前述の詳細な説明を読んで理解すれば、修正と変更に想到することができる。本発明は、添付した請求項とその均等の範囲内に入るこのような修正案及び代替案をすべて含むものと解釈しなければならない。
【図１】
2013513792.tif 000003
【図２】
2013513792.tif 000004
【図３】
2013513792.tif 000005
【図４】
2013513792.tif 000006
【図５】
2013513792.tif 000007
【図６】
2013513792.tif 000008
【図７】
2013513792.tif 000009
【図８】
2013513792.tif 000010
【図９】
2013513792.tif 000011
【手続補正書】
【提出日】平成24年6月12日(2012.6.12)
【手続補正１】
【補正対象書類名】特許請求の範囲
【補正対象項目名】全文
【補正方法】変更
【補正の内容】
【特許請求の範囲】
【請求項１】
医療画像化システムにおける画像化取得中に生じる動きを検出する方法であって：
画像化システムで画像化対象の画像化取得を行い、飛行時間データを含む画像取得データを生成するステップと；
前記飛行時間データを分析して、前記画像化取得中に生じる前記画像化対象の動きを検出するステップと
を有する方法。
【請求項２】
前記画像取得データはリストモードデータである、請求項１に記載の方法。
【請求項３】
前記飛行時間データを、前記画像化取得中に生じた前記画像化対象の動きを表す位置尺度に変換するステップをさらに有する、請求項１又は２に記載の方法。
【請求項４】
前記位置尺度は前記画像化取得中に生じた呼吸運動を表す呼吸波位置尺度である、請求項３に記載の方法。
【請求項５】
前記位置尺度は前記画像化取得中に生じた前記画像化対象の全体的動作を表す全体的動作位置尺度である、請求項３に記載の方法。
【請求項６】
医療用画像化取得データ中の呼吸運動を推定する方法であって：
画像化対象の医療用画像化取得を行って、飛行時間画像化取得データを生成するステップと；
前記医療用画像化取得中に前記画像化対象の心電図を取得するステップと；
前記心電図を利用して、前記画像化取得データをゲーティングして、心臓ゲーティングされた取得データを生成するステップと；
前記心臓ゲーティングされた取得データを小期間に分割して、呼吸ゲーティングされた心臓画像を求めるステップと；
前記呼吸ゲーティングされた心臓画像中のアクティビティ中心を決定するステップと；
異なる呼吸ゲーティングされた心臓画像のアクティビティ中心を比較して、呼吸運動ベクトルを生成するステップと
を有する方法。
【請求項７】
医療用画像化取得データ中の呼吸運動を推定する方法であって：
画像化対象の医療用画像化取得を行って、飛行時間画像化取得データを生成するステップと；
前記医療用画像化取得中に前記画像化対象の心電図を取得するステップと；
前記心電図を利用して、前記画像化取得データを心臓サイクルに分割するステップと；
前記心臓サイクル中のアクティビティ中心を決定するステップと；
異なる心臓サイクル中の前記アクティビティ中心を比較して、呼吸運動ベクトルを生成するステップと
を有する方法。
【請求項８】
前記心電図を利用して、前記画像化取得データを心臓サイクルに分割するステップと；
前記心臓サイクル中のアクティビティ中心を決定するステップと；
異なる心臓サイクル中の前記アクティビティ中心を比較して、呼吸運動ベクトルの第２のセットを生成するステップと
をさらに有する、請求項７に記載の方法。
【請求項９】
前記呼吸運動ベクトルの第１のセットを前記呼吸運動ベクトルの第２のセットと結合して、結合した呼吸運動ベクトルのセットを生成するステップをさらに有する、請求項８に記載の方法。
【請求項１０】
重み付け最小二乗法で、又は繰り返しプロセスで、前記呼吸運動ベクトルの第１のセットを前記呼吸運動ベクトルの第２のセットと結合する、請求項９に記載の方法。
【請求項１１】
前記飛行時間画像化取得データを、前記画像化取得中に生じた呼吸運動を表す呼吸運動位置尺度に変換するステップと；
前記呼吸運動ベクトルの第１のセットと前記呼吸運動ベクトルの第２のセットのうち少なくとも一方を、前記呼吸波位置尺度と結合して、結合した呼吸運動ベクトルのセットを生成するステップと
をさらに有する、請求項８に記載の方法。
【請求項１２】
心臓全体について前記呼吸運動ベクトルを決定する、請求項９乃至１１いずれか一項に記載の方法。
【請求項１３】
心臓の左心室について前記呼吸運動ベクトルを決定する、請求項９乃至１１いずれか一項に記載の方法。
【請求項１４】
心臓の少なくとも２つのセグメントについて前記呼吸運動ベクトルを決定する、請求項９乃至１１いずれか一項に記載の方法。
【請求項１５】
心臓の一セグメントの各画素について前記呼吸運動ベクトルを決定する、請求項９乃至１１いずれか一項に記載の方法。
【国際調査報告】
2013513792.tif 000012
2013513792.tif 000013
2013513792.tif 000014
2013513792.tif 000015
2013513792.tif 000016